(57)【特許請求の範囲】
【請求項１】
複数枚の用紙を重ね合わせてなり、最上位の用紙に記入することで下位の用紙に複写記入するよう複写構造を設けた複写用紙において、複写構造の少なくとも一部を、複写記入面との対接面に設けた、それぞれ異なる所定の波長の光をあてると発色する複数の透明な蛍光メジュウムインキで形成した規則的で細かいパターンで構成したことを特徴とする複写用紙。
【請求項２】
複数枚の用紙を重ね合わせてなり、最上位の用紙に記入することで下位の用紙に複写記入するよう複写構造を設けた複写用紙において、複写構造の少なくとも一部を、複写記入面との対接面に設けた、所定の同一波長の光をあてると異なった色に発色する複数の透明な蛍光メジュウムインキで形成した規則的で細かいパターンで構成したことを特徴とする複写用紙。
【発明の詳細な説明】
【０００１】
【発明の属する技術分野】
本発明は複写用紙に関し、特に、他人に知られたくない情報を複写記入するのに適した複写用紙に関する。
【０００２】
【従来の技術】
従来の一般的な複写用紙は、複写記入面との対接面にカーボン層を設けたり、複写記入面に呈色剤層を設ける一方、これとの対接面に染料内包マイクロカプセル剤層を設けたり、複写記入面に自己発色剤層を設けることによって、複写構造を構成している。そして、これら従来例においては、いずれの構成にしても、複写記入した事項は視認可能である。
【０００３】
【発明が解決しようとする課題】
このため、例えば、銀行の窓口に提出する各種申込用紙に記入する複写記入事項が、暗証番号などのように他人には知られたくない情報の場合には、本来であれば使う必要のない封筒などに複写記入した用紙を収納して窓口に提出しない限り、秘匿性を確保することができないという不都合がある。本発明は、このような不都合を解消した、複写用紙を提供することを目的とする。
【０００４】
【課題を解決するための手段】
この目的を達成するために、本発明の請求項１に記載した複写用紙は、複数枚の用紙を重ね合わせてなり、最上位の用紙に記入することで下位の用紙に複写記入するよう複写構造を設けた複写用紙において、複写構造の少なくとも一部を、複写記入面との対接面に設けた、それぞれ異なる所定の波長の光、例えば、いわゆるブラックライトと殺菌灯に使われる紫外線、をあてると発色する複数の透明な蛍光メジュウムインキで形成した規則的で細かいパターンで構成したものである。前記透明な蛍光メジュウムインキは、メジュウムインキに異なる波長で発色する蛍光剤を添加することで得られる。
【０００５】
同じく上述の目的を達成するために、本発明の請求項２に記載した複写用紙は、複数枚の用紙を重ね合わせてなり、最上位の用紙に記入することで下位の用紙に複写記入するよう複写構造を設けた複写用紙において、複写構造の少なくとも一部を、複写記入面との対接面に設けた、所定の同一波長の光、例えばいわゆるブラックライト、をあてると異なった色に発色する複数の透明な蛍光メジュウムインキで形成した規則的で細かいパターンで構成したものである。前記透明な蛍光メジュウムインキは、メジュウムインキに同一波長で発色する異なった色の蛍光剤を添加することで得られる。
【０００６】
【発明の実施の形態】
以下、添付図面に基づき本発明をカード申込書に適用した場合の好適な実施形態について説明する。ここにおいて、図１はカード申込書の概略的な平面図、図２はそのＡ−Ａ線断面図、図３は蛍光メジュウムインキで形成した規則的なパターンを示す概略的な部分拡大平面図、図４は提出用紙の複写記入状態を示す概略的な平面図、図５は複写した蛍光メジュウムインキを発光させた視認可能状態を示す概略的な部分平面図である。
【０００７】
図１及び図２に示すように、カード申込書１は、銀行のいわゆるＡＴＭで使用するカードの発行用のもので、上位用紙である申込者控用紙２と下位用紙である提出用紙３を、互いの上端に設けた接着力の弱い線糊４で分離可能に綴じ合わせてなる。申込者控用紙２の表面側は情報記入面となり、「××カード申込書（お客様控）」という標題５の下に、申込年月日記入欄６と、申込先銀行表示７と、申込者の住所及び氏名、口座を有する支店名、口座番号、口座名義人名、暗証番号を記入する申込情報記入欄８とを設けている。
【０００８】
また、図４に示すように、提出用紙３の表面側は情報複写記入面となり、「××カード申込書（提出用）」という標題９の下に、申込年月日複写記入欄１０と、申込先銀行表示１１と、申込者の住所及び氏名、口座を有する支店名、口座番号、口座名義人名、暗証番号を複写記入する申込情報複写記入欄１２とを設けている。そして、各複写記入欄１０，１２はそれぞれ対応する各記入欄６，８の直下に位置している。
【０００９】
図２に示すように、申込者控用紙２の裏面側には、各記入欄６，８に対応して複写構造を設け、この複写構造は、申込年月日記入欄６と、申込情報記入欄８のうち申込者の住所及び氏名、口座を有する支店名、口座番号、口座名義人名を記入する部分についてはカーボン複写層１３であり、申込情報記入欄８の暗証番号を記入する部分については透明蛍光メジュウムインキ複写層１４である。
【００１０】
カーボン複写層１３は公知のものである。一方、透明蛍光メジュウムインキ複写層１４は、図３に示すように、異なる波長の光、具体的には、いわゆるブラックライトと殺菌灯に使われる紫外線、をあてると発色する公知の２種類の透明な蛍光メジュウムインキを市松模様状に塗布して、規則的で細かいパターンを形成している。なお、いうまでもないが、前記透明蛍光メジュウムインキ複写層１４は透明であるから、実際は視認することはできない。
【００１１】
本実施形態は以上のように構成したので、申込者控用紙２の申込年月日記入欄６と申込情報記入欄８に所定の事項を記入すると、同一事項が提出用紙３の対応する申込年月日複写記入欄１０と申込情報複写記入欄１２に複写記入される。このとき、図４に示すように、透明蛍光メジュウムインキ複写層１４に対応した暗証番号複写記入部分については、透明な２種類の蛍光メジュウムインキが転写されるので、通常状態では複写された暗証番号を視認することはできない。
【００１２】
申込者は、申込者控用紙２を分離して自己の控えとし、提出用紙３を銀行の窓口に提出する。この際、提出用紙３に複写された暗証番号は視認できず、図４に示すように、未記入状態と同様に空欄と認識されるので、前記提出用紙３の各記入欄６，８が他人の目に触れても、暗証番号が他人に知られることはない。そして、提出用紙３を受け取った銀行側で、暗証番号複写記入部分に、所定の波長を有する２種類の光線である、いわゆるブラックライトと殺菌灯に使われる紫外線をあてると、図５に示すように、２種類の透明な蛍光メジュウムインキが発色して複写記入した暗証番号を視認できるものである。
【００１３】
２種類の透明な蛍光メジュウムインキの塗布パターンは、規則的で細かいので、複写記入部分には必ず２種類の透明な蛍光メジュウムインキが対応位置することになり、いわゆるブラックライトと殺菌灯に使われる紫外線のような、異なった所定の波長を有する２種類の光をあてた場合にのみ、正確な暗証番号の形態が現出するものである。そして、所定の波長を有する一方の光のみをあてた場合には、他の波長に対応する部分は発色しないので、とぎれとぎれに現出することになる。
【００１４】
本発明の透明蛍光メジュウムインキ複写層１４に使用する透明蛍光メジュウムインキに関する別の実施形態としては、所定の同一波長の光、例えば、いわゆるブラックライトをあてると、異なった色に発色する複数の透明な蛍光メジュウムインキを挙げることができる。この実施形態では、いわゆるブラックライトをあてると、図５に示すように、２種類の透明な蛍光メジュウムインキが異なった色に発色して複写記入した暗証番号を視認できるものである。
【００１５】
この実施形態においては、所定の波長の光をあてても発色しなかったり、発色はしたが一色の場合には、真正品とは異なる透明な蛍光メジュウムインキを使った不正なものと判断できる。
【００１６】
なお、本発明は上述した各実施形態に限定されるものではなく、例えば、２種類の透明な蛍光メジュウムインキを塗布して形成する規則的で細かいパターンは、市松模様状に限らず、縞状や格子状など種々変更可能である。また、透明な蛍光メジュウムインキは、発色する異なる波長、あるいは同一波長で発色する異なる色が、２種類に限らず、３種類以上でもよい。さらに、カード申込書１以外でも、暗証番号などの他人に知られたくない情報を複写記入する複写用紙である限り、本発明を適用することができる。さらに、複写用紙は２枚を分離可能に綴じ合わせたものに限らず、３枚以上の用紙を分離可能に綴じ合わせたものでもよく、複写される用紙も１枚に限らず、２枚以上でもよい。
【００１７】
【発明の効果】
以上説明したように、本願発明の請求項１に記載した複写用紙によれば、所望の複写記入事項を通常の目視では視認不能にすることができるので、他人には知られたくない情報を複写記入する場合に好適で、プライバシーを守ることができ、また、複数の所定波長の光線をあてないと完全な形態で視認できないので、不正記入の発見も容易であるという効果を奏する。
【００１８】
また、本願発明の請求項２に記載した複写用紙によれば、所望の複写記入事項を通常の目視では視認不能にすることができるので、他人には知られたくない情報を複写記入する場合に好適で、プライバシーを守ることができ、また、所定の同一波長の光線をあてたときに、複数色に発色しないと真正品ではないので、不正記入の発見も容易であるという効果を奏する。
【図面の簡単な説明】
【図１】カード申込書の概略的な平面図。
【図２】図１のＡ−Ａ線断面図。
【図３】蛍光メジュウムインキで形成した規則的なパターンを示す概略的な部分拡大平面図。
【図４】提出用紙の複写記入状態を示す概略的な平面図。
【図５】複写した蛍光メジュウムインキを発光させた視認可能状態を示す概略的な部分平面図。
【符号の説明】
１      カード申込用紙
２      申込者控用紙
３      提出用紙
４      線糊
８      申込情報記入欄
１２      申込情報複写記入欄
１３      カーボン複写層
１４      透明蛍光メジュウムインキ複写層
【図１】
0003949395.tif 000002
【図２】
0003949395.tif 000003
【図３】
0003949395.tif 000004
【図４】
0003949395.tif 000005
【図５】
0003949395.tif 000006